(57)【要約】本発明は、かなりの幅および長さの、そしていかなる次のリフトの連続補強鉄筋コンクリート床も据え付けられるところの上に、連続補強鉄筋コンクリート床が設置されるかまたは据え付けられることを可能にする、アンダーカット掘削の技術を提供する。本発明を用いて、中止領域が近い将来延長される場合に、連続コンクリート床は、後日延長されることができる。【選択図】図２
2014530972.tif 000002
【特許請求の範囲】
【請求項１】
アンダーカット掘削における連続コンクリート床を形成する方法であって、床および側壁を有する第１のドリフトがその長さに沿って一旦掘削された後、メッシュ、鉄筋またはスクリーンの形の補強鉄筋のパターンであって、前記補強鉄筋の上に注がれるコンクリート床に十分な強度を提供するために、前記補強鉄筋のパターンを据え付ける工程、前記第１のドリフトの前記床の周辺まわりに据え付けられる型枠であって、前記第１のドリフトの前記側壁に対して据え付けられた前記型枠は、掘削されるときに隣接するドリフトに据え付けられるいかなる重なり合う補強鉄筋の長さにも等しい長さである、型枠を据え付ける工程、前記補強鉄筋がカバーされるように砂によって前記型枠を満たす工程、次いで、ドリフトがきつく埋め戻されて、そして前記型枠を取り除くときに、セメント充填されたロックフィルまたはコンクリート床より上の等価物を支持するのに十分な厚みを有するドリフトのコンクリート床を形成するために、前記補強鉄筋および砂の上にコンクリートを注ぐかまたはポンプにより注ぎ込む工程、を含む、アンダーカット掘削における連続コンクリート床を形成する方法。
【請求項２】
床および側壁を有する第２のドリフトであって、掘削されない鉱石の第３のドリフトによって前記第１のドリフトから切り離される、第２のドリフトがその長さに沿って一旦掘削された後、請求項１の方法に続いて前記第２のドリフトの前記床上にコンクリート床を形成する工程、を含む、請求項１に記載のアンダーカット掘削における連続コンクリート床を形成する方法。
【請求項３】
前記第１のドリフトおよび前記第２のドリフトがセメント充填されたロックフィルをおよび第３のドリフトを用いて一旦埋戻された後、ここで前記第３のドリフトは、前記第１および第２のドリフトの間にあり、前記第３のドリフトの周辺に隣接している前記第１および第２のドリフトの周辺の部分に沿って前記第１および第２のドリフトの前記コンクリート床の下から前記補強鉄筋の端部をカバーしている砂を取り除くことによって、前記第３のドリフトの床の上にコンクリート床を形成しているその長さに沿って掘削された床および側壁を有しており、前記第１および第２のドリフトの前記補強鉄筋の端部に重なり合うように延びる前記第３のドリフトの補強鉄筋を提供する工程、前記第３のドリフトがきつく埋め戻されて、前記第１、第２および第３のドリフトの連続コンクリート床を形成するために、前記第１および第２のドリフトの周辺に沿って以前に砂を盛土された領域がコンクリートおよび重なり合う前記補強鉄筋で満たされるときに、セメント充填されたロックフィルまたはコンクリート床より上の等価物を支持するのに十分な厚みを有する前記第３のドリフトのコンクリート床を形成するために、前記補強鉄筋の上にコンクリートを注ぐかまたはポンプにより注ぎ込む工程、を含む、請求項２に記載のアンダーカット掘削における連続コンクリート床を形成する方法。
【請求項４】
前記ドリフトがそれらの長さに沿って一旦掘削された後、前記ドリフトの前記床は、壊れた鉱石によって埋め戻されて、等級分けされ、次いで、補強鉄筋のパターンを据え付ける前に、前記壊れた鉱石の上に薄いプラスチック層が提供される、請求項１〜３のいずれか１項に記載のアンダーカット掘削における連続コンクリート床を形成する方法。
【請求項５】
前記第１および第２のドリフトのコンクリート床を形成した後、前記第１および第２のドリフト間の第３のドリフトを前記第１および第２のドリフトのコンクリート床のエッジまで掘削する前に、前記第１または第２のドリフトおよび前記第２のドリフトをセメント充填されたロックフィルまたはその等価物によってきつく埋め戻す工程、を含む、請求項１〜３のいずれか１項に記載のアンダーカット掘削における連続コンクリート床を形成する方法。
【発明の詳細な説明】
【技術分野】
【０００１】
本発明は、次のより下の掘削レベルについての屋根になるコンクリート床を用いる「アンダーカット」掘削として通常知られる、トップダウンからの掘削のための方法に関する。特に本発明は、トップリフトにおける標準寸法５ｍ×６ｍのドリフト開口部だけを用いて、または、第２のおよびそれに続くより下のレベルにおける連続床の若干の変更態様とともに、連続コンクリート床をどのようにして展開するかの方法に関する。
【背景技術】
【０００２】
マイニングの文献において従来のアンダーカットアンドフィル（ｕｎｄｅｒｃｕｔ−ａｎｄ−ｆｉｌｌ）マイニング法についての多くの記述があるが、恐らく最適のものは、Ｔｈｅ  Ｃａｎａｄｉａｎ  Ｍｉｎｉｎｇ  ａｎｄ  Ｍｅｔａｌｌｕｒｇｉｃａｌ  Ｂｕｌｌｅｔｉｎ、１９６１年６月、Ｍｏｎｔｒｅａｌ、４２０−４２４ページにおいて公開されたＪ．Ａ．ＰｉｇｏｔｔおよびＲ．Ｊ．Ｈａｌｌによる「Ｕｎｄｅｒｃｕｔ−ａｎｄ  Ｆｉｌｌ  Ｍｉｎｉｎｇ  ａｔ  ｔｈｅ  Ｆｒｏｏｄ−Ｓｔｏｂｉｅ  Ｍｉｎｅ  ｏｆ  ｔｈｅ  Ｉｎｔｅｒｎａｔｉｏｎａｌ  Ｎｉｃｋｅｌ  Ｃｏｍｐａｎｙ  ｏｆ  Ｃａｎａｄａ，Ｌｉｍｉｔｅｄ」というタイトルの論文に見出される。
【０００３】
また、より低いレベルでの後のカットのために天盤として役立つコンクリートの床を提供しながら、アンダーカットアンドフィル法によって鉱石を採掘することは既に知られている。例えば、Ｍｉｎｉｎｇ  Ｍａｇａｚｉｎｅ−１９８４年１１月、４０４ページにおいて公開された「Ｋｏｓａｋａ  Ｍｉｎｅ  ａｎｄ  Ｓｍｅｌｔｅｒ」というタイトルの論文において、「人工天盤」を使用するアンダーカットアンドフィルと呼ばれる方法が開示されている。この方法によれば、クロスカットは、床近くの鉄筋網の層を最初に挿入することにより埋め戻され、続いて、５００〜６００ｍｍの厚さの比較的弱いコンクリートミックスをポンプで送り込み、それが乾燥すると、砂、火山灰および３．５％のセメントの混合物で埋め戻される。交互のクロスカットがマイニングブロックの長さにわたって完了すると、鉱石の中間の４メートル幅のリブもまた、摘出されるので、鉱石の薄片全体が、ゆるく固められたフィルで上部が覆われる鉄筋コンクリートの層と置き換えられる。次いで、次の下のカットのマイニングが行われる場合、上のレベルの床に置かれたコンクリートは、ここで、人工天盤を形成する。
【０００４】
特許文献１は、幅広いドリフトが上部のコンクリート床の下で掘削できるアンダーカット掘削法を開示している。この方法において、地面に柱の穴を開け、このような穴にコンクリートの柱を挿入することによって柱がドリフトの床に挿入される。コンクリートの床は地面および柱の上端に注がれる。これにより、ここで、掘削のためのコンクリート天盤として役立つコンクリートの床の下の幅広いドリフトで安全な掘削が可能となる。なぜなら、上部の床は、下のドリフトの側壁で支持されるだけでなく、柱が、下の掘削される領域上のコンクリートの床の空間を支持するのにも役立つからである。
【０００５】
米国特許第５，５２２，６７６号における方法は、アンダーカットアンドフィルマイニング法を使用した、複数レベルのアンダーカット掘削を提供し、それにより、同じ手順が、各レベルにおいて繰り返され、所望の数のレベルが掘削されるまでレベル間の下方への掘削が進行する。アンダーカットアンドフィルマイニング法において、掘削された空間は、それらが掘削された後、適切なフィルで埋め戻される。さらに、穴が、地面内に挿入される柱周囲に開けられてもよく、柱周囲の地面を粉砕するために爆発により爆破されるが、柱自体は損傷させない。このことはコンクリートの床／天盤の下の掘削を容易にし、その後、掘削の間、柱の損傷を最小にする。
【０００６】
また、米国特許第５，５２２，６７６号に開示されている方法の改良として、コンクリート天盤に対するさらなる支持を与えるために穴の中に以前に挿入された柱の上部に追加の柱を垂直に立たせることができ、それにより安全性が向上することが米国特許第５，５２２，６７６号にも開示されている。これは、「二重柱（ダブルポスト）」掘削と呼ばれるか、またはマイニングに適用される場合、「二重柱マイニング（ダブルポストマイニング）」または「ＤＰＭ」と呼ばれる。
【０００７】
コンクリート柱のセットが、上述のアンダーカット掘削において穴の中に挿入される場合、または二重柱掘削もしくはＤＰＭの一部として挿入される場合、柱はゼロ荷重である。一旦、コンクリートの床／天盤がキャストされると、床の下の掘削が実施され、柱に負荷される荷重が存在する。荷重は主に、固定したロックフィル、埋戻し、コンクリート天盤および起こり得る場合、あらゆる上部の覆っている岩からである。掘削が１つのレベルのみの掘削である場合、建造物などの、掘削の上に配置される構造が存在し得る可能性があり、そこの上に注がれる床／天盤により与えられる荷重に加えて、柱の上にさらなる荷重が負荷されるであろう。同じことが複数レベルの掘削に適用される。また、マイニングアンダーカットアンドフィル法において、荷重は、岩または鉱石層が動くかまたは緩むと、埋戻しを介して柱に伝えられる。最も大きい荷重は埋戻しからである。一旦、埋戻しが安定し、わずかに動くと、埋戻し荷重はドリフトの下の壁に移される。もちろん、コンクリートの柱は剛性であり、それらは過負荷を受けることができるが、特に、岩はねまたは地震などの激震的な出来事の間、大量のエネルギーが放出し得るので、損傷する。
【０００８】
特許文献２は、激震的な出来事からの急速な荷重に対するまたは過度の地盤移動に対する保護を提供することによって、米国特許第５，５２２，６７６号に開示された方法の改良を提供している。
改良は、
（ａ）地面に所定のサイズおよび長さの穴を開ける工程、
（ｂ）地盤移動に起因する衝撃エネルギーまたは過度な荷重を吸収できる弾性要素を各穴の底に配置する工程、
（ｃ）穴の中にコンクリートの柱を挿入する工程であって、これらの柱は、弾性要素上に存在するそれらの底端部を有し、実質的に地面と平らであるそれらの上端部を有し、柱はそれらの上端部にコンクリートの天盤を支持できる、工程、
（ｄ）コンクリートの床を地面および柱の上端部に注ぐ工程、ならびに
（ｅ）ここで、掘削するためのコンクリートの天盤として役立つコンクリートの床の下を掘削する工程を含み、
弾性要素は、掘削領域における激震的な出来事に対するまたはコンクリートの柱の破壊荷重を上回る地盤移動に対する保護を提供する。
【０００９】
従来技術において、埋戻しにおける各ドリフトは、モノリシックの５ｍｗ×６ｍｈ×１００ｍドリフトである。この方法を使用する採掘会社は、通常、直角で次の低いセットのドリフトを採鉱し、それにより、開いた空間は５ｍに制限され、コールドジョイント長さは同様に５ｍに最小化される。コンクリートが、以前に硬化または凝固されたコンクリートに対して埋め戻される場合、コールドジョイントが形成される。
【００１０】
本出願は、連続したコンクリートの床を注ぐ方法を提供することによって、従来技術、特に米国特許第５，５２２，６７６号および同第５，９４４，４５３号に開示されているアンダーカット掘削方法および掘削に使用される機器のさらなる改良に関する。米国特許第５，９４４，４５３号および同第５，５２２，６７６号はその全体が参照により本明細書に組み込まれる。
【先行技術文献】
【特許文献】
【００１１】
【特許文献１】米国特許第５，５２２，６７６号
【特許文献２】米国特許第５，９４４，４５３号
【発明の概要】
【課題を解決するための手段】
【００１２】
本発明は、かなりの幅および長さの、そしていかなる次のリフトの連続補強鉄筋コンクリート床も据え付けられるところの上に、連続補強鉄筋コンクリート床が設置されるかまたは据え付けられることを可能にする、アンダーカット掘削の技術を提供する。本発明を用いて、中止領域が近い将来延長される場合に、連続コンクリート床は、後日延長されることができる。例えば、長さが１００ｍ〜５００ｍの鉱体の場合、床は、１００ｍ×１００ｍの面積（複数）に設置されることができて、全体の１００ｍ×５００ｍの計画領域をカバーするために、取り付けられるかまたは延ばされることができる。各領域のマイニングは、異なる高さにあることができる。または、コンクリート床の部分は、数年後に延長されることができる。
【００１３】
したがって、連続コンクリート床を建設することを含むアンダーカット掘削またはマイニングの方法を提供することは、本発明の目的である。連続コンクリート床は、掘削の第１のリフト上の岩を５ｍ幅×６ｍ高さのサイズの一連の開口部、または続くより下のリフト上のより広い開口部から好ましくは準備される。
【００１４】
本発明のさらなる目的は、１０ｍ×１００ｍの計画領域または両方向により大きい開口部を有する鉱体を採掘するために、一連の５ｍ×６ｍのドリフトから始まる単純かつ効率的なやり方の連続コンクリート床を作成することである。
【００１５】
本発明のさらなる目的は、埋戻し／または上下の岩の荷重にマッチするようにコンクリート支柱およびバネパッドが圧縮することを許容するとともに、セメント充填された埋戻しを含むために、本発明のアンダーカット掘削工法の連続コンクリート床を使用することである。非常に大きい圧力を加えられると、岩は、上方へ膨張することができて、下の支柱を故障させることができる。
【００１６】
本発明の展開において、ポスティング、埋戻しおよび弾性パッドのコンピュータ・モデリングは、埋戻しが自己支持する強度をつくる埋戻しのアーチングにマッチするために支柱が圧縮しなければならないことを示した。
【００１７】
本発明のさらなる目的は、掘削の次の下のリフトに連続コンクリート床を建設する類似の技術の使用である。
【００１８】
本発明の他の目的および利点は、以下の説明から明らかである。
【図面の簡単な説明】
【００１９】
本発明は、例えば、同じパーツが同じ数字によって示される添付図面を参照して、目下、記載される。
【図１】図１は、本発明の方法により掘削される一連の平行したドリフトを有する掘削のコンピュータモデルの上面図である。
【図２】図２は、図１の掘削の部分断面図である。
【図３】図３は、本発明の一実施形態によるドリフトの壁の底部周辺で利用される型枠および砂盛土の詳細図である。
【図４】図４は、図３の、そして本発明の一実施形態による取り除かれる型枠を用いて砂盛土の上に注がれるコンクリート床の詳細図である。
【図５】図５は、図３の型枠および砂盛土が付加される前のスチール補強層の詳細図である。
【図６】図６は、図３の型枠および、ドリフトの壁に近接しないでコンクリート床の周辺まわりで使わるような砂盛土の詳細図である。
【図７】図７は、図３の型枠が取り除かれた後、砂盛土および傾斜路を示す図６のコンクリート床の周辺の詳細図である。
【図８】図８は、露出した補強鉄筋を有するドリフトの壁に近接してないコンクリート床の周辺の一部を示す上面図である。
【図９】図９は、掘削されているリフトより上のリフト上の連続コンクリート床の下でアンダーカットマイニングが実行されている本発明の掘削の部分断面図である。
【発明を実施するための形態】
【００２０】
多くの鉱業会社は、路床を提供するかまたは下の盛土への鉱石の損失を防止するために、そして、弱いコンクリート（５〜１５％のセメントで充填されたロックフィル）によって採掘される各ドリフトを満たすために、鉱石を採掘して、盛土の上部に弱いコンクリート床によってストープを満たした。埋戻しに、各ドリフトは、統一された５ｍｗ×６ｍｈ×１００ｍのドリフトである。以前堅くなったまたは固まったコンクリートに対してコンクリートが埋め戻されるときに、コールドジョイントは、形成される。
【００２１】
本発明は、連続したスチール補強コンクリート床が広い幅および長さにわたって設置されるかまたは据え付けられることを可能にするアンダーカットマイニングの技術を提供する。階段状の領域が近い将来延長される場合、本発明により据え付けられる連続コンクリート床は、後日延長されることができる。例えば、長さが１００ｍ〜５００ｍの鉱体において、床は、１００ｍ×１００ｍの面積（複数）に設置されることができて、全体の１００ｍ×５００ｍの計画領域をカバーするために、取り付けられるかまたは延ばされることができる。各領域のマイニングは、異なる高さにあることができる。または、コンクリート床の部分は、数年後に延長されることができる。
【００２２】
本発明によれば、掘削工法は、標準の５ｍ幅×６ｍ高さ×４ｍのドリフトラウンドを用いて、または、機械的な岩切断機（例えば５ｍ×６ｍ×１００ｍ長さのドリフトを掘削するロードヘッダ）を用いて、最初のコンクリート床（例えば１００ｍ×１００ｍ）を設置することから始まる。本発明がダブルポスト・マイニングに関連して使われるときに、支柱は、コンクリート床を据え付ける前に鉱石または下の岩に据え付けられる。支柱穴の穿設、支柱の据え付け、支柱周辺の予備破壊の手順は、特許文献２および特許文献１に記載されている。ドリフトラウンドのサイズは、変化してよい。例えば、標準の単一ドリフトがたとえどんなサイズで作られることができても、ドリフトラウンドは、落盤から安全な４ｍ×６ｍ×５０ｍ長さでありえる。
【００２３】
本発明は、連続コンクリート床が１００ｍ×１００ｍの面積を完全にカバーするように、ステージにおいて連続コンクリート床をどのように作成するかに関する。加えて、このコンクリート床は、後日、すべての横方向において延長されるように設計される。
【００２４】
本発明は、以下の利点によって特徴づけられる。
（１）１つの５ｍ×６ｍ幅×１００ｍ長さのドリフトにおいて、コンクリート床は、３０〜１００日後に採掘される５ｍ×６ｍ×１００ｍ長さのドリフトに取り付けられるかまたは隣接することができる。
（２）連続コンクリート床が延長されなければならない場合、５ｍ×６ｍ×１００ｍ長さのドリフトの端部は、何ヵ月かまたは何年か後にコンクリート床に取り付けられるかまたは隣接することができる。
（３）コンクリート床上のローディングのコンピュータ・モデリングは、マイニングによって支柱が取り除かれるときに床が２〜４００ｍｍ以上動くことができて、そして、ドリフトが前に満たされたドリフトのセメント充填されたロックフィル上に支えられることを示す。
（４）鉱体ディップは、両者間の垂直かつあらゆる程度のディップに対する平坦なベッドであることができる。本発明は、すべてのディップで支持コンクリート床のために利用されることができる。
【００２５】
ダブルポスト・マイニングを使用するときに、本発明は、予め設計されたスペース（例えば７．５ｍ×７．５ｍのスペース）に据え付けられるコンクリート支柱のグリッドを有するワイドスペース（すなわち、１５ｍ幅×１００ｍ長さの面積）のコンクリート床の設置のための方法を提供する。下で広域が採掘される間、コンクリート屋根の仮支持を提供するために、本発明は、４００Ｔの支持力コンクリート支柱を好ましくは使用する。例えば、セメント充填されたロックフィルの下の開口部（アンダーカットおよびフィルマイニング）は、通常、コールドジョイントでまたはその近くでセメント充填されたロックフィル落下なしに５〜６ｍの最大安全なマイニング支持幅を有するのに反して、本発明によれば、ＤＰＭポスティングは、連続コンクリート床が連続安全ネットであり、支柱が一時的な支持を提供して、セメント充填されたロックフィルの一部が落下することを許容しないので、１５メートルまたはそれ以上の幅×無制限の長さを許容する。
【００２６】
コンクリート床を地下に設置することは、床および支柱の安全な動きが床より上のセメント充填された岩埋戻しのアーチングとマッチしなければならないことが必要である。セメント充填された岩埋戻しは、それが自己支持になる前に、特定の量を動かなければならない。コンクリート支柱および床が堅い場合、支柱および床は、高荷重のせいで故障する。特許文献２は、圧縮されることができる支柱を開示した。これは、上の埋戻しが動くことを、またはアーチが自己支持であるのに十分なことを許容する。埋戻しは、自己支持であるのに十分な強さを有しなければならない。もしそれが弱い場合、それは、床および支柱を故障させる。セメント充填されたロックフィルのアーチング強さを圧縮ポスティング・システムに設計される圧縮運動とマッチさせるために、地質工学的なコンピュータ・モデリングは、通常、本発明により用いられる。例えば、盛土が自己保持である前に１００ｍｍ動く場合、支柱は、それらの設計ローディングパラメータが５００Ｔｏｎｓの範囲内でとどまる間、１００ｍｍを圧縮することが可能でなければならない。土圧が埋め戻されたストープ周辺に伝えられて、このように埋戻しが隣接する下の壁への荷重の伝達によってそれ自身の重量を主に支えていることを、岩盤力学データは、示す。より弱い埋戻しは、圧縮して、このように、小さい置換土圧は、盛土を圧縮するだけである。埋戻しがあまりに強い場合、次いで、それは、荷重を壁に圧縮しなくて、転写しない。しかし、上からの全土圧は、主に堅い支柱上にある。
【００２７】
図１、図２を参照すると、一実施形態において、本発明の掘削工法および利用するダブルポスト・マイニングは、予め決められたサイズおよび長さの地面における一連の開口部（例えば図２に示す実施形態に示す５ｍ×６ｍ×１００ｍ長さのドリフト）をドリフトすることによって、地上レベルで表層スライス１０を作ることによるアンダーカット掘削工法を含む。予め決められたグリッド、サイズおよび長さの支柱穴１１は、地中において穿設される。そして、地盤運動のせいでのショックエネルギーまたは過剰な荷重を吸収することができる弾性要素１２は、穴の底部に置かれた。図１は、支柱穴１１についてのコンピュータモデルグリッドを示す。次いで、コンクリート支柱１３は、穴１１に挿入される。支柱１３は、弾性要素１２上に置かれるそれらの底端部を有し、そして、表層スライス１０の床１４と基本的に同一平面上のそれらの上端部を有する。支柱１３は、それらの上端部上にコンクリート屋根を支持することができなければならない。スチール補強された第１のコンクリート床１５は、表層スライス１０の床１４上に、および前記支柱１３の上端部上に注がれる。そして、目下、掘削のためのコンクリート屋根として役立つ前記コンクリート床１５の下で、掘削は、始まることができる。
【００２８】
図示の実施形態において、第１のコンクリート床１５の下に第１のリフト１６を掘削する本発明による方法は、以下の工程を含む。
（ａ）表層スライス１０の下の岩において、そして第１のドリフト１７の幅方向の断面に露出する２本の前記柱を有する図２に示す実施形態において、穴１１に挿入される支柱１３の高さに対応する第１のドリフト１７は、掘削される。上のコンクリート床１５が支柱１３によって安全に支えられるか、あるいは後述するように、掘削されない柱または岩またはセメント・ロックフィルが隣接するドリフトに埋め戻される限り、ドリフトの幅は、変化することができる。
（ｂ）表層スライス１０の下の岩において、そして、第２のドリフト１８の幅方向の断面に露出する２本の前記柱を有する図２に示す実施形態において、穴１１に挿入される支柱１３の高さに対応する第２のドリフト１８は、掘削される。表層スライス１０の下の岩において、そして、第２のドリフト１８の幅方向の断面に露出する２本の前記柱を有する図２に示す実施形態において、穴１１に挿入される支柱１３の高さに対応する第２のドリフト１８は、掘削される。第２のドリフト１８は、掘削されない鉱石２０の第３のドリフト１９によって、第１のドリフト１７から切り離される。
（ｃ）一旦第１のドリフト１７がその長さに沿って掘削されると、ダブルポスト・マイニングを使用する場合、予め決められたグリッド、サイズおよび長さの支柱穴２１は、第１のドリフト１７の床２２において穿設される。支柱穴２１の底に、地盤運動のせいでのショックエネルギーまたは過剰な荷重を吸収することができる弾性要素２３は、置かれる。次いで、コンクリート支柱２４は、穴２１に挿入される。支柱２４は、弾性要素２３上に置かれるそれらの底端部を有し、そして、第１のドリフト１７の床２２より上に延びるそれらの上端部を有する。支柱２４が支柱穴２１に挿入される前に、弾性要素２３は、支柱２４の底部に取り付けられてよい。第１のドリフト１７の床２２は、壊れた岩または鉱石２５によって埋め戻されて、そして、第１のドリフト１７の床２２より上に延びる支柱の頂部の下の位置に等級分けされる。壊れた岩または鉱石は、例えば、支柱の頂部の５０ｍｍの範囲内まで埋め戻されてよい。
（ｄ）薄いプラスチック層２６は、壊れた岩または鉱石２５の上に据え付けられる。好ましい実施形態において、薄い層が液体セメントが平らにされた壊れた岩または鉱石２５へと下に流出するのを防止するプラスチック膜であるとはいえ、液体セメントが平らにされた壊れた岩へと下に流出するのを防止する他のいかなる材料も用いられることができる。
（ｅ）次いで、第１のドリフト１７の床２２上のプラスチック層２６および壊れた鉱石２５の上に注がれるコンクリート床に十分な強度を提供するために、メッシュ、鉄筋またはスクリーンの形の補強鉄筋２７のパターンは、据え付けられる。補強鉄筋２７は、持ち上げられて、標準土木工学技術によって薄いプラスチック層２７より上の所望の高さに支持される。
（ｆ）次いで、型枠（通常、２８で示される）は、第１のドリフト１７の床２２の周辺まわりに据え付けられる。例示される実施形態において、型枠２８は、第１のドリフト１７の周辺壁２９から約１８インチほどのところに据え付けられる。距離が少なくとも、一般に補強鉄筋２７における鉄筋の直径の１５〜２０倍である（後述するように）隣接する床からのいかなる重なり合う補強鉄筋の長さである限り、周辺壁からの型枠の距離は、変化してよい。第１のドリフト１７の周辺まわりで、そしてドリフトの壁の次に、適切な型枠２８の一実施形態は、図３、図５に示される。型枠２８は、第１のドリフト１７上の壁２９に対して境を接するのに適した一端３１、および、補強鉄筋２７より上に注がれるコンクリート床３５の表面３４のエッジ高さ上に起立している厚板（ｐｌａｎｋｉｎｇ）３３を支持するのに適した他端３２を有する一連のスチール製ロッド３０から成る。例示される実施形態において、端部３２は、直立したＵ字状ブラケット３６の形状である。補強鉄筋２７がカバーされるように、ドリフト１７の壁２９のエッジと厚板３３との間のスペース３７は、砂３８で満たされる。型枠２８がドリフトの壁に対して使用されるときに、コンクリートが後述および図４に示すように砂を完全にカバーするように、コンクリート床３５が注がれるにつれて、型枠２８は、取り除かれる。ドリフトの壁に対して注入されないコンクリート床のエッジにおいて、図６で示す一実施形態の型枠２８は、使われる。この実施形態において、型枠２８は、厚板３３とかけ離れた端部３１にエンドプレート３９を有する。砂４０は、エンドプレート３９と厚板３３との間のスペースを満たす。コンクリート床３５は、厚板３３にだけ注がれる。一旦コンクリート床３５が固まると、型枠２８および厚板３３は、取り除かれることができる。砂４０および露出した補強鉄筋２７を損傷から保護するために、図７に示す傾斜路４１は、利用されることができる。それらがドリフトの壁の次に図４に示す配置に結果としてなるように、そして傾斜路の有無にかかわらず図７に示すように注がれるように、コンクリート床の周辺まわりの補強鉄筋の上に位置する砂を保持する限り、型枠２８の設計は、図示した実施形態から変化することができる。
（ｇ）コンクリート３５は、次いで、第１のドリフト１７がきつく埋め戻されるときに、コンクリート床３５より上のセメント充填されたロックフィルまたはその等価物を支持するのに十分な厚みを有する第１のドリフト１７におけるコンクリート床３５を形成するために、補強鉄筋２７および砂３８の上にポンプで注ぎ込まれるかまたは注がれる。コンクリート床３５は、例えば、２５０ｍｍの厚みを有してよい。
（ｈ）上記のように、厚板３３と第１のドリフト１７の壁のエッジとの間のコンクリートの下に砂を妨げることなくコンクリートが固まってコンクリートによってスペースが満ちる前に、厚板３３は、第１のドリフト１７の外壁の周辺から取り除かれる。
（ｉ）上記の工程（ｃ）〜（ｈ）は、それがその長さに沿って完全に掘削された後、第２のドリフト１８によって繰り返される。
（ｊ）第１のドリフト１７および第２のドリフトは、セメント充填されたロックフィルまたはその等価物できつく満たされる。
（ｋ）掘削するドリルおよびブラストまたはロードヘッダにおいて、第１および第２のドリフト間で掘削しない岩または鉱石２０に対応する第３のドリフト１９は、１のドリフトおよび第２のドリフトにおいてコンクリート床３５のエッジまで取り除かれることができる。
（ｌ）ダブルポスト・マイニングを使用するときに、第３のドリフト１９のための工程（ｃ）の繰り返し（すなわち、第３のドリフトがその長さに沿って一旦掘削された後）は、第３のドリフトの床における予め決められたグリッド、サイズおよび長さの支柱穴を穿設する。穴の底に、地盤運動のせいでのショックエネルギーまたは過剰な荷重を吸収することができる弾性要素１２は、置かれる。次いで、コンクリート支柱は、穴に挿入される。支柱は、弾性要素上に置かれるそれらの底端部を有し、そして、第３のドリフトの床より上に延びるそれらの上端部を有する。第３のドリフトの床は、壊れた岩または鉱石によって埋め戻されて、そして、第３のドリフトの床より上に延びる支柱の頂部の下の位置に等級分けされる。壊れた岩または鉱石は、例えば、支柱の頂部の５０ｍｍの範囲内まで埋め戻されてよい。
（ｍ）第３のドリフト１９の周辺に隣接している第１のおよび第２のドリフト１７、１８の周辺の部分に沿って第１のおよび第２のドリフト１７、１８のコンクリート床３５の下から補強鉄筋２７の端部をカバーしている砂３８を取り除く。砂の除去は、１つの例として高圧吹付け器を使用してなされることができる。
（ｎ）薄いプラスチック層は、第３のドリフトの床上の壊れた岩または鉱石の上に据え付けられる。好ましい実施形態において、薄い層は、液体セメントが平らにされた壊れた岩または鉱石へと下に流出するのを防止するプラスチック膜である。
（ｏ）次いで、第３のドリフトの床上のプラスチック層および壊れた鉱石の上に注がれるコンクリート床に十分な強度を提供するために、メッシュ、鉄筋またはスクリーンの形の補強鉄筋のパターンは、プラスチック層の上に据え付けられる。補強鉄筋は、持ち上げられて、薄いコンクリートの不浸透層より上に所望の高さに支持される。第１のおよび第２のドリフトの隣接する補強鉄筋２７の端部に重なり合うために、第３のドリフトの補強鉄筋は、第３のドリフトの周辺を過ぎて延びる。
（ｐ）コンクリートは、次いで、第３のドリフトがきつく埋め戻されるときに、コンクリート床より上のセメント充填されたロックフィルまたはその等価物を支持するのに十分な厚みを有する第３のドリフトにおけるコンクリート床を形成するために、補強鉄筋の上にポンプで注ぎ込まれるかまたは注がれる。第１のおよび第２のドリフトのコンクリート床３５のリップ４２の下のスペースを含む、第１のおよび第２のドリフトの周辺に沿った以前の砂充填領域は、コンクリートで満たされる。そして、補強鉄筋は、第１、第２および第３の連続コンクリート床を形成するために重なり合う。
（ｑ）第３のドリフトは、セメント充填されたロックフィルまたはその等価物によってきつく埋め戻される。
（ｒ）工程（ｃ）〜（ｐ）は、鉱石の制限に対して、または、全てのリフトにわたる連続コンクリート床に結果としてなる鉱石の掘削のそのフェーズの設計制限に対して、第１のリフト全体に繰り返される。
（ｓ）工程（ｃ）〜（ｒ）は、第１のリフトの、または図９に示す新しい領域に対する第１のリフトの任意の拡張の、連続コンクリート床の下の第２のリフトの掘削のために繰り返される。
【００２９】
図８は、コンクリート床４３を用いて連続コンクリート床を形成するために領域４５の床にコンクリートを注ぐ前に、露出したドリフトの壁に近接しないでコンクリート床４３の周辺まわりに補強鉄筋４４を有するドリフトの掘削された領域に注がれるコンクリート床４３を図式的に示す。
【００３０】
掘削される領域のエッジにおいて、通常の土木工学技術および標準を用いてコンクリート床のスラブの周囲を支持するために、壁ピンおよび鉄筋ハンガーは、利用される。
【００３１】
本明細書においてコンクリート支柱に参照がなされるときに、これらは、鉄筋コンクリート支柱を含む。そして、接地点上におよび支柱の上端部上にコンクリート床を注ぐことに参照がなされるときに、それもまた、補強されたコンクリート床の注ぎ込みまたはキャスティング（すなわちコンクリートの内部に鉄筋およびスクリーン要素を有して設計される床）を含む。そしてその結果、支柱は、同じ穴をあけることができない。
＜本発明の利点＞
【００３２】
本発明によるＤＰマイニングは、小型の鉱体の地下採掘計画に全体的に革命をもたらす可能性を有する新規なマイニング方法を提供する。鍵となる突破口は、４本の太いコンクリート支柱によって支持される鉄筋コンクリート屋根を有する小さいストープ（ｓｔｏｐｅ）サイズ（７．５ｍ×７．５ｍ×６ｍ）から来る。最初の地質学的ブロックモデルの個々のブロックは、目下、階段法計画になる。そして、連続コンクリート床は、コンクリート床の下でいかなる方向のマイニングも許容する支柱のグリッドを用いて支持される。
【００３３】
ＤＰＭの最初の概念が先般展開されたとはいえ、最近まで、コンピュータ・モデリングは、個々のＤＰＭルームにおいて１ドリフトラウンドが取り除かれるたびに荷重の再分布を算出するのに十分強力でなかった。目下の３次元モデリングは、多くの疑問（支柱上の荷重は何？、その荷重は各下部リフトで増加するか？、埋戻しはどれくらい強くなければならないか？、コンクリート床はどれくらい厚くなければならないか？）に答えた。
【００３４】
ダブルポスト・マイニング法に関連して特に本発明を使用する鉱山所有者に対する利点は、以下を含む。
１．ＤＰＭ採掘計画
ＤＰＭマイニングのための採掘計画は、地質学的ブロックモデルである。その必要とされる全ては、上部６ｍ高さのマイニングリフトへのアクセス、そして換気および捌け口のための第２のアクセスである。６ｍリフトの１００％のマイニングおよび埋戻しは、並行して進行する。安全計画の経験則は、１鉱体が１００鉱画当たり１０００ｔｐｄマイニング率をサポートすることができる（公知の鉱画数については、マイニング率は推定されることができて、次いで、採掘基盤は設計されることができる）ということである。並行したマイニングおよび埋戻しに加えて生産における１００％の鉱石リフトは、他の採掘方法（例えば、発破孔または切盛り（ｃｕｔ  ａｎｄ  ｆｉｌｌ）またはアンダーハンドドリフトおよびフィルマイニング法）と比較して鉱体の１００万トン当たりより高いマイニング率を与える。
２．鉱石に続く
ストープおよび柱の設計およびスケジューリングの通常のマイニング計画プロセスは、繰り返しプロセスである。そして、さまざまなシナリオを計画することは、時間がかかり、そして、鉱体のサイズまたは形状の変化あるいは金属価格の変化は、完全な再設計を必要とする。本発明の汎用性は、鉱体が終了するかまたは等級が低下する場合、コンクリート床の下でいかなる点でもマイニングを停止することができることを意味する。同様に、新しい表層スライスになっている効果で、マイニングは、鉱石に続くために、コンクリートを過ぎて連続することができる。これは、鉱体または等級の形の変化が生産に影響を及ぼさないかまたは再設計を必要としないことを意味する。また、将来において金属価格または鉱石の価値が増加する場合、ロードヘッダは、鉱体の遠端において目下儲けの多い鉱石に達するために埋戻しを通じて運転することができる。
３．作業の除去
本発明は、大部分の地上管制機能（例えば岩ボルト締め、ケーブルボルト締め、および（トップスライシングを除く）コンクリート吹付け（ｓｈｏｔｃｒｅｔｉｎｇ））を除去する。カットの遺失の増加、長孔の穿設、および機能を実行する器材のような他のマイニング機能は、減らされる。本発明はまた、多くのより高コストのマイニング機能（第１、第２および敷居柱回収、フィルフェンスまたは隔壁など）を除去する。大部分の採掘は、それらの労働および材料の３０％を地上の管制に費やす。地上管制作業はまた、事前展開率を３０〜５０％（より多くの展開長さまたは見出しを、より多く遅延）低下させる。展開作業を除去することによって、生産性および安全統計値は、そのパーセンテージまで改善される。
４．鉱石回収
通常のマイニング法を用いる最初の地質学的ブロックモデルは、通常、ストープのサイズとしてマイニング技術者によって２０％ほど切られる。そして、柱が鉱体に必ずしも続くというわけではない。ルームおよび柱または支柱の回収方法は、回収されない支柱として背後に鉱体の２０〜３０％を残す。本発明は、地質学的ブロック・モデリングによって確認される鉱石の１００％を回収する。本発明はまた、内部希釈物（機械加工される不十分な値を有する低級鉱画）を同様に除去することができる。そして、マイニング等級は、地質学的平均的等級の最初のブロックモデルに比べてより高くあることができる。ルームの等級は、マッピング、フェースサンプリング、および支柱穴チップサンプリングによって確認される。鉱体は、最小限の内部および壁希釈物によって選択的に採掘されることができる。
５．主要な展開費
本発明は、鉱体を上から下へ採掘する。そして、展開を浪費する予備生産は、鉱体のサイズまたは形状に応じて上部の６ｍリフトまたは複数の位置へのアクセスを提供することに制限される。２つの他の要因は、効果を示し始める。より少ない展開は、より速い鉱石生産につながり、加えて、より高いマイニング率は、より速く達成される。営業収益は、ドルのための資本ドルを減らして、このようにプロジェクトのＲＯＩは、増加する。
６．機械化されたマイニング
本発明は、大きいロードヘッダを巧みに操縦するルームを提供する、そして、コンクリートの屋根は、落盤を除去する。ロードヘッダを用いてカットするのに十分に柔らかい地面は、通常、開口部の安全なサイズを制限する。本発明によるコンクリート屋根および支柱は、大部分の地面の欠点を除去する。弱いおよび硬い鉱石の組み合わせがある場合、堅い部分は、穿孔されることができて、ブラストされることができる。
７．セメント充填された尾鉱フィル
本発明の将来の展開は、例えばＣＲＦを置き換えるペースト盛土を用いて、改良の他の機会を検討する。ペースト盛土を用いて、支柱は、２５０ｍｍ圧縮されなければならなくてよく、そして支柱の間隔は、６ｍ×６ｍに減少されなければならなくてよい。一旦３次元モデルが固い盛土を有するマイニングによって調整されると、より弱い盛土は、モデル化されることができる。中心に１本の柱を有するルームについては、それらは、異なる盛土が評価されることを可能にするために採掘される試験であることができる。そして、支柱のローディング、コンクリート床の厚みなどは、全て装備によってモニタされることができる。
８．安全性
事故の減少は、複合動作である。そして、事故の最も大きなソースは、展開作業、スケーリング、岩ボルト締めおよび他の地上管制機能である。落盤、埋戻しまたは予想外の柱または後ろの失敗の落下、壊れた鉱石上の作業、盛土の進行、駆動増加などは、損傷のすべての出所である。卑金属の採掘において、大きいストープブラストによって、粉じん爆発がしばしば生じる。本発明は、モニタされることができる作業環境のような店をつくって、高い生産性を有する大きな器材を使用して、多数の鉱夫を地下で減らす。鉄筋上のトリッピングのような新しい危険、またはコンクリートを伴う作業からの化学燃焼は、確認されなければならなくて、管理されなければならない。
＜試験採掘＞
【００３５】
本発明によるＤＰＭマイニングは、設計されて、現在メキシコの試験採掘において用いられる。試験採掘設計は、３Ｄ地質学的ブロックモデルによって発生する鉱石の１０００トンブロックの６ｍリフト・マイニングに基づく。各ＤＰＭルームは、２ドリフトラウンドまたは、ドリフトラウンドおよび地質学的ブロックモデルに寸法的にマッチするスラッシュの組み合わせによって、採掘される。モデルは、１００％の鉱石回収を有する鉱体のストープ計画になる。
【００３６】
ＤＰは、トップダウンから鉱体を採掘する。セメント充填されたロックフィル（ＣＲＦ）を有する埋戻しに先立って好ましくは７．５ｍのコンクリート支柱および連続コンクリート床のグリッドが据え付けられること以外は、最初のリフトは、標準的ドリフトおよび盛土マイニングを利用する。下部のリフトは、柱房式採掘法と類似しているが、コンクリート支柱のグリッドによって一時的に支持されるコンクリート屋根の下で実行される。いかなる新技術とも同様に、システムを説明するために展開されたいくつかの新語（例えば、ＤＰＭトップスライシング、ＤＰＭルーム、ダブルポスティング、支柱およびフィラー支柱まわりの予備ブレーキング）がある。
【００３７】
ＤＰＭは、硬い鉱石のためのドリルブラストゴミ技術およびより柔らかい鉱石のためのロードヘッダを使用することができる非常に柔軟なマイニング方法である。マイニングは、コンクリート床の下で任意の方向に行われることができる。そしてそれは、鉱石に追従するためにコンクリートを過ぎて外へ延びることができる。この新しい領域は、次いで、表層スライスになる。鉱体の中のあらゆるＤＰＭルームは、正確に同じ標準設計を有する。外周ルームは、コンクリート床のスラブの周囲を支持するために、壁ピンおよび鉄筋ハンガーの追加を有する。
【００３８】
埋戻しサイクルは、非常に標準化していて、支柱を据え付けて、コンクリート床を調製し、注入して、次いでＣＲＦで満たす。図１に示すように、地質学的ブロックモデルの３Ｄ位置から各鉱画のコーナー位置にマッチするために調査される支柱穴のグリッドを穿設することから、ポスティングは、始まる。プレキャストコンクリート支柱は、次いで、各穴内に据え付けられて、続いて支柱のまわりに予備剪断穴が穿設される。
【００３９】
コンクリート床を据え付ける準備は、プラスチックの層によって、続いて壊れた層を広げることから始まる。そして、鉱石は、プラスチックの層が湿ったコンクリートが緩衝材に漏れないようにすると共にコンクリート屋根へのブラスト損傷を防止するクッションとして作用する。この時点で、フィラー支柱は、ＤＰＭリフトに取り付けられる。それらは、ダブルポスティング・システムを形成している以前のリフトからの支柱の底部フランジにボルト留めされる。
【００４０】
鉄筋および溶接されたコンクリート・メッシュは、目下、据え付けられることができる。そして、砂によって埋め戻される特別なコンクリート型枠が続く。隣接するルームが採掘された後、砂を取り出すことによって、鉄筋は、重ねられることができる。このように、連続コンクリート床を形成する。標準の３０００ｐｓｉコンクリートは、補強されたスラブを完成するためにポンプ輸送される。一旦コンクリート床が固まると、ＣＲＦは、あらゆる場所のためのパウス・スリンガ・トラックに加えてＬＨＤ上のプッシュブレードを用いてきつく満たされる。
【００４１】
ＤＰＭマイニングおよび埋戻しサイクルは、標準採掘試験をされた器材、コンクリートおよびＣＲＦだけを使用する。続くＤＰＭマイニングは、次いで、鉄筋コンクリート・プラスきつく圧縮されたＣＲＦから成る予め支柱が作られた複合屋根ビームの下で実行される。
【００４２】
試験鉱区は、ＦＬＡＣ  ３Ｄを用いてモデル化されるコンピュータである。直径０．４ｍのコンクリート支柱および７．５ｍ×７．５ｍ×６ｍのルームの以前の２Ｄモデリングに基づいて、サイズは、固定した。８ルーム幅×１２ルーム長さで５リフト高さ（または４００，０００ｔ）の領域は、埋戻しの範囲内で最大荷重展開を許容するように選択された。そして、一次および二次パネルを介して、２ルーム（１５ｍ）幅の掘削は、中心入力ドリフトからアクセスされる。コンクリート床プラスセメント充填されたロックフィルが複合ビームとして作用するので、コンクリート床は、引張材としてだけモデル化された。合計１０のコンピュータの運用は、埋戻し、支柱および床のためのさまざまな剛性のものを用いて実行された。そして、各運用には、４８０ブロックを完全に採掘するために約１２０〜１５０時間がかかった。
【００４３】
データ結果のスナップショットは、分析のために１５分毎に捕えられた。結果のいくらかは、以下の通りであった。
１．通常の６％のセメント充填されたロックフィルは、主にｌ００ｔ〜２５０ｔの支柱ローディングを生成した。そして、荷重は、４リフト後に安定した。支柱は、４００ｔ用に設計された。このように、支柱の荷重は、圧縮状態の支柱の設計強度の約５０％である。
２．概して６％のＣＲＦの埋戻し強度を結集するために、支柱は、圧縮性でなければならない。より弱い盛土は、壁に対するアーチ荷重をさらに動かさなければならず、このようにより多くの支柱圧縮を生じさせる。ＤＰＭは、必要な動きにマッチするように調整されることができる４００ｔの容量圧縮ばねを設計した。
３．コンクリート床は、ＣＲＦを制限するために引張り部材としてだけ作用する。そして、意味されるように、荷重は、アーチになった。埋戻しアーチングは、２つの尺度に見られる。最初に、それは、ＤＰＭルームの範囲内に残る。追加のリフトが採掘されるにつれて、それは、リフトをカバーするために拡大する。
４．驚くべきことに、より弱い盛土については、埋戻しにおける支柱上の引張荷重は、３００ｔまで増加した。コンクリート支柱は、事実上、複合ＣＲＦビームにおける大きな摩擦ロックボルトになる。このアンカー現象を利用するために、支柱は、個々の支柱についての連続１５０ｔの引張強度およびダブル支柱についての３００ｔの引張強度を達成するように、フランジとともに再設計された。
＜計装＞
【００４４】
何年か通して、荷重、応力などに関して役立つリアルタイム・フィードバックを提供するために、鉱山を完全に計装するように多くの試みは、実行された。本発明は、この種の計装範囲についてのフレームワークを提供する。
【００４５】
人がマイニングおよび埋戻しサイクルを経験するにつれて、計装されるメインアイテムは、コンクリート支柱荷重である。しかしながら、これ単独では、埋戻しおよびコンクリート床の中で起こっていること（例えば、埋戻しがアーチになる間、ストープから分離する盛土は戻るか？）のスナップショットを提供しない。この種の技術的な質問は、必要な答えを提供するためにユニークな計装を用いてモニタされなければならないさまざまな品目のリストに、すぐにつながる。
【００４６】
試験採掘区域すなわち９セットの支柱の四半部に据え付けられる計装の概要は、以下の通りである。
１．埋戻しへの、したがって埋戻しの荷重への上盤の動きまたは上盤（ＨＷ）の収束を測定するために、上記の９本の支柱の位置の後部に取り付けられる計装されたケーブルボルト。同様に、屋根からＣＲＦまで取り付けられることができて、コンクリート床を支持する９本の支柱の頂部にボルト留めされるケーブルは、コンクリート床の上昇対、盛土の後部からの分離があるかどうか見る後部を測定する。これはまた、コンクリート床がストープの後部と関連してどの程度下がったかについても見る。
３．計装されたケーブルは、鉄筋の緊張をモニタするために、床のスラブ荷重のキー領域の引張荷重の範囲を測定する。ケーブルは、どんな応力が床のエッジの近くで遭遇するかを見るために、床のスラブの周辺まわりに取り付けられることもできる。同様に、床のスラブに固定される端部を有する２インチの直径の壁ピンの上のゆるやかにかける計装ケーブルによって、壁に沿った床のスラブのエッジに沿った荷重は、測定されることができる。
４．コンクリート支柱の圧縮運動および支柱荷重は、支柱の下の圧縮部材の高さの減少によって測定される。コンクリート支柱は、計装ワイヤが支柱を通り、そしてコンクリート床のスラブに埋め込まれたコンジットを通って進むことができる導管を有して設計された。支柱圧縮パッドは、支柱の底部フランジにボルト留めして、再使用可能である。
５．支柱の引張り荷重は、いくつかの方法（鉄筋と平行してコンクリートに鋳込まれるボルトに留められる計装ケーブル、または、支柱内の導管内に取り付けられて、スチールフランジの頂部および底部に固定される標準採掘伸び計）で測定されることができる。
６．３／４インチの直径の計装フランジボルトは、１本の柱から次までの引張荷重をモニタするために、装備された支柱間に用いられる。
【００４７】
コンピュータ３次元モデルは、埋戻しが壁にアーチングをロードすることを示す。埋戻しが床または後部と分離しているかどうか調べるために、そして、埋戻しが所定の場所に圧縮される（包装される）につれて何が起こっているかをリアルタイムでモニタするために、予測されるようにアーチングが展開していることを確実にするために埋戻しの内部の荷重をモニタするために、カスタムメイドの計装器パックは、開発されている。
【００４８】
人がマイニングまたは埋戻しサイクルを経験するにつれて、コンクリート支柱の近くで床がどのように曲がっているか、または、床のエッジがどのように曲がるか見るために、傾斜計は、コンクリート床のさまざまな領域に置かれる。
【００４９】
産出工場から出る全ての計装器は、それ自身の搭載コンピュータおよびバッテリ電源を用いて調整される。各計装器は、多くの計装器からのダウンロードデータを適切なデータファイルに自動的に供給するそれ自身のカスタムメイドのデータファイルを有する。データファイルは、各リフトが採掘されるにつれて定期的に更新されることができる。そして、３次元モデルは、一定間隔（すなわち３ヵ月ごと）に再実行されることができる。
【００５０】
本発明は、上記した好ましい実施形態に制限されない。しかし、当業者にとって明らかなさまざまな修正が本発明の要旨および以下の請求項の範囲を逸脱しない範囲でなされることができることを理解すべきである。
【図１】
2014530972.tif 000003
【図２】
2014530972.tif 000004
【図３】
2014530972.tif 000005
【図４】
2014530972.tif 000006
【図５】
2014530972.tif 000007
【図６】
2014530972.tif 000008
【図７】
2014530972.tif 000009
【図８】
2014530972.tif 000010
【図９】
2014530972.tif 000011
【国際調査報告】
2014530972.tif 000012
2014530972.tif 000013